(57)【要約】【課題】車両のタイヤを適切に消毒できるタイヤ消毒装置を提供する。【解決手段】タイヤ消毒装置３は、車両に設置して使用する車両設置型のものである。タイヤ消毒装置３は、車両のタイヤ２と対向する複数の噴射ノズル６を備える。噴射ノズル６は、配管11のノズル取付管部12の下流端部に取り付ける。配管11の上流側には、消毒液タンク16及び不凍液タンク17を接続する。そして、車両の運転席に乗った運転者が操作手段32の全自動用スイッチを操作すると、噴射ノズル６は、消毒液、空気及び不凍液を順次噴射する。【選択図】図１
2019123296.tif 000002
【特許請求の範囲】
【請求項１】
車両に設置され、前記車両のタイヤを消毒する車両設置型のタイヤ消毒装置であって、
前記タイヤと対向する流体噴射部を備え、
前記流体噴射部は、消毒液、空気及び不凍液を噴射可能である
ことを特徴とするタイヤ消毒装置。
【請求項２】
車両に設置され、前記車両のタイヤを消毒する車両設置型のタイヤ消毒装置であって、
前記タイヤと対向する流体噴射部と、
少なくとも全自動用スイッチを有する操作手段とを備え、
前記流体噴射部は、前記全自動用スイッチの操作に基づいて、消毒液、空気及び不凍液を順次噴射する
ことを特徴とするタイヤ消毒装置。
【請求項３】
車両に設置され、前記車両のタイヤを消毒する車両設置型のタイヤ消毒装置であって、
前記タイヤと対向する流体噴射部と、
少なくとも消毒液用スイッチ、空気用スイッチ及び不凍液用スイッチを有する操作手段とを備え、
前記流体噴射部は、前記消毒液用スイッチの操作に基づいて消毒液を噴射し、前記空気用スイッチの操作に基づいて空気を噴射し、前記不凍液用スイッチの操作に基づいて不凍液を噴射する
ことを特徴とするタイヤ消毒装置。
【請求項４】
流体噴射部は、噴射ノズルであり、
前記噴射ノズルを加熱する加熱手段を備える
ことを特徴とする請求項１ないし３のいずれか一記載のタイヤ消毒装置。
【請求項５】
噴射ノズルが取り付けられた配管を備え、
前記配管には、消毒液タンク及び不凍液タンクが接続されている
ことを特徴とする請求項４記載のタイヤ消毒装置。
【請求項６】
車両のタイヤと対向する流体噴射部を備える車両設置型のタイヤ消毒装置を用いて行うタイヤ消毒方法であって、
前記流体噴射部が消毒液を噴射する工程と、
この工程後に前記流体噴射部が空気を噴射する工程と、
この工程後に前記流体噴射部が不凍液を噴射する工程と
を備えることを特徴とするタイヤ消毒方法。
【請求項７】
流体噴射部が消毒液を噴射する前に、前記流体噴射部を加熱する
ことを特徴とする請求項６記載のタイヤ消毒方法。
【発明の詳細な説明】
【技術分野】
【０００１】
本発明は、車両のタイヤを消毒するタイヤ消毒装置及びタイヤ消毒方法に関するものである。
【背景技術】
【０００２】
従来、例えば下記の特許文献１に記載された車両消毒装置が知られている。
【０００３】
この従来の車両消毒装置は、消毒液を供給する消毒液供給手段と、少なくとも消毒対象の車両の下部を囲む枠組と、前記消毒液供給手段から供給される前記消毒液を通し、前記枠組に取り付けられた配管と、前記配管に接続され、前記消毒液を前記枠組の内側に噴射するための複数の噴射ノズルとを備えている。
【先行技術文献】
【特許文献】
【０００４】
【特許文献１】特開２００７−８９９５１号公報
【発明の概要】
【発明が解決しようとする課題】
【０００５】
しかしながら、上記車両消毒装置では、車両のタイヤに対する消毒効果が十分ではなく、車両のタイヤを適切に消毒できないおそれがある。特に、北海道等の寒冷地での冬期間においては、消毒液が凍結してしまい、上記車両消毒装置を使用できないおそれもある。
【０００６】
本発明は、このような点に鑑みなされたもので、車両のタイヤを適切に消毒できるタイヤ消毒装置及びタイヤ消毒方法を提供することを目的とする。
【課題を解決するための手段】
【０００７】
本発明に係るタイヤ消毒装置は、車両に設置され、前記車両のタイヤを消毒する車両設置型のタイヤ消毒装置であって、前記タイヤと対向する流体噴射部を備え、前記流体噴射部は、消毒液、空気及び不凍液を噴射可能であるものである。
【０００８】
また、本発明に係るタイヤ消毒装置は、車両に設置され、前記車両のタイヤを消毒する車両設置型のタイヤ消毒装置であって、前記タイヤと対向する流体噴射部と、少なくとも全自動用スイッチを有する操作手段とを備え、前記流体噴射部は、前記全自動用スイッチの操作に基づいて、消毒液、空気及び不凍液を順次噴射するものである。
【０００９】
さらに、本発明に係るタイヤ消毒装置は、車両に設置され、前記車両のタイヤを消毒する車両設置型のタイヤ消毒装置であって、前記タイヤと対向する流体噴射部と、少なくとも消毒液用スイッチ、空気用スイッチ及び不凍液用スイッチを有する操作手段とを備え、前記流体噴射部は、前記消毒液用スイッチの操作に基づいて消毒液を噴射し、前記空気用スイッチの操作に基づいて空気を噴射し、前記不凍液用スイッチの操作に基づいて不凍液を噴射するものである。
【００１０】
また、本発明に係るタイヤ消毒方法は、車両のタイヤと対向する流体噴射部を備える車両設置型のタイヤ消毒装置を用いて行うタイヤ消毒方法であって、前記流体噴射部が消毒液を噴射する工程と、この工程後に前記流体噴射部が空気を噴射する工程と、この工程後に前記流体噴射部が不凍液を噴射する工程とを備えるものである。
【発明の効果】
【００１１】
本発明によれば、寒冷地での冬期間であっても、車両のタイヤを適切に消毒することができる。
【図面の簡単な説明】
【００１２】
【図１】本発明の第１の実施の形態に係るタイヤ消毒装置の構成図である。
【図２】同上タイヤ消毒装置の操作手段のブロック図である。
【図３】同上タイヤ消毒装置が設置された車両（トラック）の部分側面図である。
【図４】同上タイヤ消毒装置の動作説明図である。
【図５】本発明の第２の実施の形態に係るタイヤ消毒装置の構成図である。
【発明を実施するための形態】
【００１３】
本発明の第１の実施の形態について図１ないし図４を参照して説明する。
【００１４】
図３において、１は車両で、この車両１には、前後左右の４本のタイヤ２を消毒液を用いて消毒する車両設置型のタイヤ消毒装置３が設置されている。なお、この図示した車両１は、例えば飼料を運搬するトラックであるが、これには限定されず普通車等でもよく、車種は問わない。また、消毒液は、例えば次亜塩素酸の水溶液（無塩型次亜塩素酸水）が好ましいが、これ以外の消毒液でもよい。
【００１５】
そして、例えば畜産施設の家畜が伝染病に感染するのを防止するために、車両（トラック）１がその畜産施設の敷地内に入る前に、車両１の４本の各タイヤ２がタイヤ消毒装置３によって消毒される。
【００１６】
タイヤ消毒装置３は、図１に示すように、車両１の４本の各タイヤ２と近接して対向する複数の流体噴射部である噴射ノズル６を備えている。なお、図３に示されるように、噴射ノズル６は、各タイヤ２ごとに１個或いは複数個（例えば３個）ずつ、車両１のタイヤ対向部であるタイヤハウジング７の前側に互いに間隔をおいて取り付けられている。噴射ノズル６の先端の噴射口は、タイヤ２の外周面に向かって常時開口している。なお、噴射ノズル６にチェックバルブを取り付けてもよい。
【００１７】
噴射ノズル６には、この噴射ノズル６を加熱する加熱手段であるノズルヒーター８が設けられている。ノズルヒーター８は、例えば電熱線からなるもので、噴射ノズル６の外面側に装着されている。そして、噴射ノズル６は、車両１の底部側に取り付けられた配管11の下流側に接続されている。
【００１８】
つまり、配管11は、タイヤ２の本数に対応した４本のノズル取付管部12を下流側に有し、この各ノズル取付管部12の下流端部に、噴射ノズル６が圧力バルブ（図示せず）を介して取り付けられている。圧力バルブ（圧力調整弁）は、配管11内の圧力が上昇して予め設定された設定圧力（開弁圧力）になったときに、閉状態から開状態に自動的に切り換わるものである。なお、圧力バルブは、必ずしも必要ではなく、噴射ノズル６を配管11に直接取り付けてもよい。
【００１９】
また、配管11の上流側には、消毒液が貯留された消毒液タンク16及び不凍液が貯留された不凍液タンク17が接続されている。配管11の途中には、エアーポンプを兼ねた１台のポンプ（圧送手段）18が設けられているとともに、各タンク16，17を接続した２つの流路切換用の電磁弁（三方電磁弁）21，22がそれぞれ設けられている。これら２つの電磁弁21，22のうち、不凍液タンク17を接続した一方の電磁弁22には、ポンプ18の作動時に車両１の運転席の空気（車両内の空気）を吸い込む吸込管部13が接続されている。
【００２０】
そして、２つの電磁弁21，22による配管11中の流路切換に基づき、当該配管11内には、消毒液、不凍液及び空気の中から選択された一の流体が供給される。
【００２１】
消毒液タンク16は、所定量の消毒液を貯留可能なもので、この消毒液タンク16には、当該タンク16内の消毒液の凍結を防止するための凍結防止用のタンクヒーター（加熱手段）25が設けられている。また、消毒液タンク16には、当該タンク16内の消毒液を外部へ排出するための排出バルブ26が接続され、この排出バルブ26にはバルブヒーター27が設けられている。
【００２２】
なお、凍結防止用のタンクヒーター25を設けない場合には、毎回、車両１の使用後に消毒液を排出し、次に車両１を使用する際に消毒液を消毒液タンク16内に入れる。
【００２３】
不凍液タンク17は、所定量の不凍液を貯留可能なもので、この不凍液タンク17にも、消毒液タンク16と同様、当該タンク17内の不凍液を外部へ排出するための排出バルブ28が接続され、この排出バルブ28にはバルブヒーター29が設けられている。なお、不凍液タンク17内の不凍液は、消毒液タンク16内の消毒液に比べて凝固点が低いため、氷点下になる寒冷地の冬でも凍結しない。
【００２４】
また、タイヤ消毒装置３は、少なくともノズルヒーター８、ポンプ18及び電磁弁21，22を制御する制御手段31を備えている。制御手段31には、車両１の運転席に配置された操作手段（リモコンスイッチ）32が電気的に接続されている。そして、車両１の運転席に乗った運転者が操作手段32を操作すると、この操作に基づいて制御手段31がノズルヒーター８、ポンプ18及び電磁弁21，22を適宜制御する。
【００２５】
操作手段32は、図２に示すように、例えば車両１の運転席に乗った運転者が車両１を運転しながら押し操作可能な複数、すなわち例えば５つのスイッチ（押しボタンスイッチ）、つまり全自動用スイッチ35、消毒液用スイッチ36、空気用スイッチ37、不凍液用スイッチ38及びノズルヒーター用スイッチ39を有している。なお、ノズルヒーター用スイッチ（加熱手段用操作部）39は、ノズルヒーター８側に設けてもよい。
【００２６】
さらに、タイヤ消毒装置３の各ヒーター８，25，27，29やポンプ18のモータ部等には、車両１のバッテリーとは別に設けた予備バッテリー40からの電力が供給される。なお、車両１のバッテリーの容量を大きくして対応してもよい。また、凍結防止用のタンクヒーター25に関しては、外部電源からの電力を利用してもよい。
【００２７】
次に、上記タイヤ消毒装置１の作用等を説明する。
【００２８】
例えば北海道等の寒冷地での冬期間に、タイヤ消毒装置１を使用する場合について説明する。
【００２９】
寒冷地の冬期間においては、気温が氷点下となり、雪が多く降るため、車両１のタイヤ２の周囲に位置する噴射ノズル６の先端部には、回転するタイヤ２から飛散する雪解け水が付着して凍り付く。
【００３０】
例えば飼料を積んだトラックである車両１の運転席に乗った運転者は、畜産施設の敷地内に入る手前で、走行速度を遅くして徐行しながら、運転席にある操作手段32の全自動用スイッチ35を１回押し操作する。
【００３１】
すると、図４（ａ）に示すように、まず、ノズルヒーター８が予め設定された設定時間だけ作動し、噴射ノズル６が加熱される。その結果、噴射ノズル６の先端部に付着した氷が解けて、氷の詰まりが解消する。
【００３２】
次いで、噴射ノズル６は、ポンプ18の作動に基づき、予め設定された設定時間の間、配管11を通って圧送される消毒液タンク16からの消毒液をタイヤ２に向けて噴射する。その結果、車両１のタイヤ２は、その全周にわたって消毒液で消毒されるとともに、外周面に付着した付着物（雪や泥等）が除去される。
【００３３】
次いで、噴射ノズル６は、ポンプ18の作動に基づき、予め設定された設定時間の間、配管11を通って圧送される車両１の運転席の空気をタイヤ２に向けて噴射する。
【００３４】
これにより、配管11内及び噴射ノズル６内に残存した消毒液は、すべて外部へ排出される。つまり、空気の噴射により、配管11内及び噴射ノズル６内から余分が水分が排出される。またこのとき、空気の噴射により、車両１に付着した消毒液の液滴が除去される。
【００３５】
次いで、噴射ノズル６は、ポンプ18の作動に基づき、予め設定された設定時間の間、配管11を通って圧送される不凍液タンク17からの不凍液をタイヤ２に向けて噴射する。
【００３６】
これにより、配管11内及び噴射ノズル６内は、不凍液によって満たされる。この不凍液は、凝固点が低く（例えば−３０度以下）、配管11内及び噴射ノズル６内で凍結せず、液体の状態を維持する。このため、次回の消毒液の噴射時には、消毒液は、不凍液を押し出しながら、配管11内及び噴射ノズル６内をスムーズに流れる。
【００３７】
このように、車両１の運転者が全自動用スイッチ35を操作した場合には、噴射ノズル６は、ノズルヒーター８の作動後、消毒液、空気及び不凍液を自動的に順次噴射する。
【００３８】
また、車両１の運転者は、図４（ｂ）に示すように、全自動用スイッチ35の代わりに、各スイッチ36，37，38，39を押し操作することで、全自動の場合と同様に、タイヤ２の消毒を行うことが可能である。
【００３９】
すなわち、車両１の運転席に乗った運転者は、まず、ノズルヒーター用スイッチ39を押し操作する。すると、ノズルヒーター８が予め設定された設定時間だけ作動し、噴射ノズル６が加熱されて氷の詰まりが解消する。その後、運転者は、消毒液用スイッチ36を所望時間、押し操作する。
【００４０】
すると、消毒液用スイッチ36が押し操作されている間だけ、噴射ノズル６が消毒液をタイヤ２に向けて噴射する。つまり、消毒液用スイッチ36を押している間だけ噴射ノズル６が消毒液を噴射し、消毒液用スイッチ36から手を離すと、噴射ノズル６からの消毒液の噴射が停止する。
【００４１】
次いで、車両１の運転席に乗った運転者は、空気用スイッチ37を所望時間、押し操作する。
【００４２】
すると、空気用スイッチ37が押し操作されている間だけ、噴射ノズル６が空気をタイヤ２に向けて噴射し、配管11内及び噴射ノズル６内の消毒液が外部へ排出されるとともに、車両１に付着した消毒液の液滴が除去される。
【００４３】
次いで、車両１の運転席に乗った運転者は、不凍液用スイッチ38を所望時間、押し操作する。
【００４４】
すると、不凍液用スイッチ38が押し操作されている間だけ、噴射ノズル６が不凍液をタイヤ２に向けて噴射し、配管11内及び噴射ノズル６内が不凍液で満たされる。
【００４５】
このように、各スイッチ36，37，38，39を順次押し操作することで、寒冷地の冬期間でも車両１のタイヤ２の消毒を行うことができる。
【００４６】
また一方、冬期間以外で、気温が氷点下にはならず、消毒液が凍結するおそれがない場合（夏期間等）には、図４（ｃ）に示すように、車両１の運転席に乗った運転者は、消毒液用スイッチ36のみを所望時間押し操作して噴射ノズル６から消毒液を噴射させて（消毒液用スイッチ36を押している間のみ消毒液が噴射し、離すと噴射停止）、タイヤ２の消毒を行えばよい。
【００４７】
そして、このようなタイヤ消毒装置１によれば、車両１の各タイヤ２に対向する噴射ノズル６は、消毒液、空気及び不凍液を噴射可能であるため、寒冷地での冬期間においても、消毒液の凍結を防止でき、車両１のタイヤ２を適切に消毒できる。よって、菌やウイルス等の活動が活発になる低温乾燥時であっても十分な消毒効果を得ることができ、畜産施設の家畜が伝染病に感染することを適切に防止できる。
【００４８】
また、車両１の運転席に設置される操作手段32は、少なくとも全自動用スイッチ35、消毒液用スイッチ36、空気用スイッチ37、不凍液用スイッチ38及びノズルヒーター用スイッチ39を有するため、操作性が良好であり、しかも冬期間や夏期間に対して適切に対応できる。
【００４９】
さらに、噴射ノズル６を加熱するノズルヒーター８を備えるため、噴射ノズル６の先端部に付着した氷による噴射口の詰まりを適切に解消することができる。
【００５０】
次に、本発明の第２の実施の形態について図５を参照して説明する。
【００５１】
この図５に示すタイヤ消毒装置３は、消毒液タンク16及び不凍液タンク17のほかに、圧縮された空気（乾燥空気が好ましい）が貯留された空気タンク（エアータンク）41を備えている。この空気タンク41は、接続管部42を介して電磁弁22に接続されている。そして、全自動用スイッチ35の操作の際及び空気用スイッチ37の操作の際に、空気タンク41からの空気が配管11内を通って噴射ノズル６から噴射される。その他の構成は、第１の実施の形態と基本的に同じである。
【００５２】
なお、空気タンク41内の空気を加熱するタンクヒーター（加熱手段）を空気タンク41に設けてもよい。
【００５３】
また、車両（トラック）１がブレーキ用の空気タンク（圧縮タンク）を備えている場合には、その車両１の空気タンクからの空気を配管11内に供給するようにしてもよい。
【００５４】
また一方、いずれの実施の形態でも、圧送手段であるポンプは１台である構成について説明したが、例えば消毒液、空気及び不凍液のそれぞれに対応する３台のポンプを設けた構成等でもよい。
【００５５】
さらに、ポンプは、電力で駆動するモータ部を有するものには限定されず、例えば車両１のエンジンからの動力で作動するポンプでもよい。
【００５６】
また、タイヤ２と対向する流体噴射部は、流体を高圧で噴射する噴射ノズル６には限定されず、例えば流体を低圧噴射（吐出）する管端部（配管の下流端部）でもよい。
【００５７】
さらに、消毒液、空気及び不凍液が流動する配管11を加熱する配管加熱手段（配管ヒーター）を配管11の外周側に設けてもよい。
【００５８】
また、配管11や噴射ノズル６を加熱する加熱手段は、車両１のエアコンからの温風等を利用してもよい。
【００５９】
さらに、操作手段32は、例えばノズルヒーター８の作動時間を設定するための操作部や、全自動の際における各噴射時間（消毒液の噴射時間、空気の噴射時間、不凍液の噴射時間）を設定するための操作部を有してもよい。
【００６０】
また、タイヤ消毒装置１は、車両１のタイヤ２のみを消毒するものには限定されず、タイヤ２に加えて、例えばタイヤハウジング７や車両１の底部等、車両１の他の部分を消毒するようにしてもよい。
【００６１】
さらに、例えば夏期間には不凍液タンク17を消毒液タンクとして使用することも可能であり、そのために排出バルブ28及びバルブヒーター29も必要である。なお、不凍液タンク17を消毒液タンクとして使用することがない場合には、排出バルブ28及びバルブヒーター29は必ずしも必要ではない。
【００６２】
また、例えば噴射ノズル６の詰まり（例えば氷による詰まり等）を検知する検知手段を設けて、この検知手段の検知に基づいてノズルヒーターが作動する構成でもよく、また、例えば温度センサーの検知温度に基づいてノズルヒーター８が作動する構成でもよい。
【符号の説明】
【００６３】
１    車両
２    タイヤ
３    タイヤ消毒装置
６    流体噴射部である噴射ノズル
８    加熱手段であるノズルヒーター
11    配管
16    消毒液タンク
17    不凍液タンク
32    操作手段
35    全自動用スイッチ
36    消毒液用スイッチ
37    空気用スイッチ
38    不凍液用スイッチ
【図１】
2019123296.tif 000003
【図２】
2019123296.tif 000004
【図３】
2019123296.tif 000005
【図４】
2019123296.tif 000006
【図５】
2019123296.tif 000007